(57)【特許請求の範囲】
【請求項１】
オーバーヘッドモジュールと一体に形成された筐体（１３）と、該筐体（１３）内に少なくとも自動料金収受システム用カード接続用コネクタ（２７）が設けられ、且つ前記筐体（１３）にカード挿入及び取り出し部を塞ぐ開閉可能な蓋（１８）が設けられた自動料金収受システム用カード接続装置において、
前記蓋（１８）には、表示装置（３１）及び表示切換え用スイッチ（３２）が設けられてなることを特徴とする自動料金収受システム用カード接続装置。
【請求項２】
オーバーヘッドモジュールと一体に形成された筐体（１３）と、該筐体（１３）内に少なくとも自動料金収受システム用カード接続用コネクタ（２７）が設けられ、且つ前記筐体（１３）にカード挿入及び取り出し部を塞ぐ開閉可能な蓋（１８）が設けられた自動料金収受システム用カード接続装置において、
前記蓋（１８）には、エマージェンシースイッチ（３３）が設けられてなることを特徴とする自動料金収受システム用カード接続装置。
【発明の詳細な説明】
【０００１】
【発明の属する技術分野】
本発明は自動料金収受システム用カード接続装置に関する。詳しくは、自動料金収受システムが作動中にカード接続装置からカードが不用意に抜き取られ、不具合が生ずるのを防止した自動料金収受システム用カード接続装置に関する。
【０００２】
【従来の技術】
従来の自動料金収受システム（Ｅｌｅｃｔｒｏｎｉｃ  Ｔｏｌｌ  Ｃｏｌｌｅｃｔｉｏｎ）（以下ＥＴＣと略称する）は、車が有料道路の料金所を通過する際、ゲートと車載機の間で瞬時に通信を行い、プリペイドカードや銀行口座からの引き落としで自動的に料金の支払いが行えるようにし、一旦停止の必要をなくしたシステムである。このシステムにより料金所を通過する際の所要時間が、大幅に短縮されることで料金所付近の交通渋滞が緩和され、またノンストップによる排出ガスの低減といった環境保全も期待される。
【０００３】
このようなＥＴＣに用いられるＩＣカード使用型車載機にはビルトイン型と後付け型とがある。図７に後付け型車載機を示す。これは、ダッシュボード１に載置される筐体２にカード挿入口３と料金等を表示する液晶表示装置４とが設けられ、筐体２の内部にはカードを接続するコネクタ、通信装置等が設けられている。ビルトインタイプもほぼ同様な構成である。
【０００４】
【発明が解決しようとする課題】
上記のような従来のＥＴＣ用車載機では、車両が料金所を通過しているときに、車載機から不用意にＩＣカードが抜き取られると、料金の収受動作が不可能になるという問題が生ずる。
【０００５】
本発明は上記従来の問題点に鑑み、車載機から不用意にＩＣカードが抜き取られることを防止した自動料金収受システム用カード接続装置を実現することを目的とする。
【０００６】
【課題を解決するための手段】
本発明の請求項１の自動料金収受システム用カード接続装置は、オーバーヘッドモジュールと一体に形成された筐体１３と、該筐体１３内に少なくとも自動料金収受システム用カード接続用コネクタ２７が設けられ、且つ前記筐体１３にカード挿入及び取り出し部を塞ぐ開閉可能な蓋１８が設けられた自動料金収受システム用カード接続装置において、前記蓋１８には、表示装置３１及び表示切換え用スイッチ３２が設けられてなることを特徴とする。
【０００７】
また、請求項２は、オーバーヘッドモジュールと一体に形成された筐体１３と、該筐体１３内に少なくとも自動料金収受システム用カード接続用コネクタ２７が設けられ、且つ前記筐体１３にカード挿入及び取り出し部を塞ぐ開閉可能な蓋１８が設けられた自動料金収受システム用カード接続装置において、
前記蓋１８には、エマージェンシースイッチ３３が設けられてなることを特徴とする。
【０００９】
【発明の実施の形態】
図１は本発明の第１の実施の形態のＥＴＣ用カード接続装置をオーバーヘッドモジュールと共に示す斜視図である。同図において、符号１０はオーバーヘッドモジュールであり、車両の天井部１１に取り付けられている。本実施の形態のＥＴＣ用カード接続装置１２は、このオーバーヘッドモジュール１０の筐体１３の一部に設けられている。なお、筐体１３のオーバーヘッドモジュール１０が構成される部分には、ルームランプ、マップランプ等が設けられ、１４はそのレンズ、１５はルームランプ用スイッチ、１６はマップランプ用スイッチであり、ルームランプは車室内を比較的広範囲に照明し、マップランプはスポット的に乗員の手元を照明できるようになっている。
【００１０】
図２は図１のＡ−Ａ線における断面図である。同図において、符号１３は筐体であり、オーバーヘッドモジュール１０の部分は曲面状をなしている。そして該筐体１３にはマップランプ用レンズ１４、ルームランプ用スイッチ１５、ルームランプ用電球１７、その他図示なきマップランプ用電球、マップランプ用スイッチ等が設けられてオーバーヘッドモジュールを構成している。
【００１１】
そして、本実施の形態のＥＴＣ用カード接続装置１２は箱状をなし、筐体１３の一部に設けられており、その下面には断面が略三角形状の蓋１８がヒンジ軸１９により開閉自在に設けられ、且つ、ばね２０により常時開放方向（矢印Ｘ方向）に付勢されている。さらに該蓋１８にはヒンジ軸に対して反対側に係合部２１が形成され、筐体１３に設けられたロック機構２２のロック爪２３に係合されるようになっている。
【００１２】
ロック爪２３は押ボタン２４により進退し蓋１８との係合を係脱可能としている。また、蓋１８には図示なきカード接続用のコネクタが設けられている。また、蓋１８に対向する筐体部には、車が有料道路の料金所を通過する際、ゲートに対して双方向の通信を行うための通信装置を含む電子回路２５が設けられている。
【００１３】
図３及び図４は本実施の形態のＥＴＣ用カード接続装置の断面を示す図で、図３は図２のＢ−Ｂ線における断面図、図４（ａ）は図３のａ−ａ線における断面図、図４（ｂ）は図３のｂ−ｂ線における断面図である。図３及び図４に示すように蓋１８は断面が略３角形状をなし、その中に中仕切２６が設けられている。
【００１４】
そして、該中仕切２６の一方にはＩＣカード接続用のコネクタ２７が設けられ、該コネクタ２７は前記電子回路２５に電気的に接続されている。また中仕切２６の他方には長手方向に凹溝２８が形成されている。なお該中仕切２６にはカード２９がコネクタ２７に向かって挿通できる孔３０が形成されている。
【００１５】
このように構成された本実施の形態の作用を図５及び図３により説明する。ＩＣカードをコネクタに接続するには、先ず図５に示すように、ロック機構２２の押ボタン２４を押圧してロック爪２３と蓋１８の係合部２１との係合を解除すると、蓋１８はばね２０の付勢力により矢印Ｃ方向に回動して開放する。次いで、この状態で図３の如くＩＣカード２９′を中仕切２６に接して矢印Ｙ方向に滑らせてコネクタ２７に挿入し電気的接続をすることができる。
【００１６】
なお、ＩＣカード２９′を中仕切２６に接して滑らせる際、指を凹溝２８に入れることによりＩＣカードの押圧及び取り出しを容易に行うことができる。ＩＣカードの挿入が終われば蓋１８をばね２０の付勢力に抗して元の状態に復帰させれば、ロック機構２２により蓋１８はロックされる。
【００１７】
以上の第１の実施の形態によればＥＴＣ用カード接続装置１２に蓋１８を設けたことにより、装置からのカード２９の取り出しは、蓋１８を明けてから行わねばならぬため、不用意にカード２９が抜き取られることは防止される。
なお、以上の本実施の形態はオーバーヘッドモジュールと一体に構成された場合について説明したが、オーバーヘッドモジュールとは別に単独で構成することも可能である。
【００１８】
図６及び図７は本発明の第２の実施の形態を示す図であり、図６（ａ）〜（ｂ）はそれぞれ蓋１８の前面を斜め下より見た正面図であり、図７は図６（ａ）のａ−ａ線、ｂ−ｂ線、ｃ−ｃ線におけるそれぞれの断面図である。本実施の形態は、蓋１８の前面にスイッチ、表示装置等を設けたことを特徴とし、他の構成は第１の実施の形態と同様である。従って、前実施の形態と異なる点のみ説明する。
【００１９】
図６において、符号３１はＥＴＣの料金等を表示する液晶表示装置、３２は液晶表示装置の表示の切換を行うスイッチ、３３は危急時に予め決められた処に通報するためのエマージェンシースイッチである。そして液晶表示装置３１は図７（ａ）の断面図に示すように、液晶表示パネル３１ａが設けられ、図７（ｂ）にはスイッチ３２が設けられている。これらのスイッチ３２及び液晶表示パネル３１ａは電子回路２５に電気的に接続されている。
【００２０】
また、エマージェンシースイッチ３３はＥＴＣとは関係ないが、危急時に無線により予め決められた処に通報するためのものであり、図７（ｃ）の断面図に示すようにスイッチ３３ａには不用意な操作を防止するためのカバー３３ｂが設けられ、常時は該カバー３３ｂによりカバーされている。
【００２１】
なお、これらの表示装置、スイッチ等は、その配置や組合せを変更することができる。例えば、図６（ｂ）は図６（ａ）のエマージェンシースイッチを廃止してダミー３４としたもの、図６（ｃ）はエマージェンシースイッチ３３のみとしたもの、図６（ｄ）はエマージェンシースイッチ３３とオプション用のスイッチ３５を配置したものである。
【００２２】
このように構成された本実施の形態は、ＥＴＣ用カード接続装置１２の蓋１８の前面に液晶表示装置３１、スイッチ３２，３３等を配設したことにより、省スペース化が可能となる。
【００２３】
【発明の効果】
本発明のＥＴＣ用カード接続装置に依れば、ＥＴＣ用カード接続装置に蓋を設けたことにより、該装置が作動中に不用意にカードが抜き取られることを防止することができる。また、蓋の前面に液晶表示装置及びスイッチ類を配設したことにより、それらの配置の省スペース化が可能となる。
【図面の簡単な説明】
【図１】本発明の第１の実施の形態のＥＴＣ用カード接続装置をオーバーヘッドモジュールと共に示す斜視図である。
【図２】図１のＡ−Ａ線における断面図である。
【図３】図２のＢ−Ｂ線における断面図である。
【図４】図３における断面図で、（ａ）は図３のａ−ａ線における断面図、（ｂ）は図３のｂ−ｂ線における断面図である。
【図５】本発明の第１の実施の形態の作用を説明するための図である。
【図６】本発明の第２の実施の形態を示す図である。
【図７】図６（ａ）における断面を示す図で、（ａ）は図６（ａ）のａ−ａ線における断面図、（ｂ）は図６（ａ）のｂ−ｂ線における断面図、（ｃ）は図６（ａ）のｃ−ｃ線における断面図である。
【図８】従来の自動料金収受システム用の車載用カード接続装置を示す図である。
【符号の説明】
１０…オーバーヘッドモジュール
１１…車両の天井部
１２…ＥＴＣ用カード接続装置
１３…筐体
１４…レンズ
１５…ルームランプ用スイッチ
１６…マップランプ用スイッチ
１７…ルームランプ用電球
１８…蓋
１９…ヒンジ軸
２０…ばね
２１…係合部
２２…ロック機構
２３…ロック爪
２４…押ボタン
２５…電子回路
２６…中仕切
２７…コネクタ
２８…凹溝
２９…ＩＣカード
３０…孔
３１…液晶表示装置
３２…表示切換用スイッチ
３３…エマージェンシースイッチ
３４…ダミー
【図１】
0003557119.tif 000002
【図２】
0003557119.tif 000003
【図３】
0003557119.tif 000004
【図４】
0003557119.tif 000005
【図５】
0003557119.tif 000006
【図６】
0003557119.tif 000007
【図７】
0003557119.tif 000008
【図８】
0003557119.tif 000009